(57)【要約】【課題】遮光羽根駆動装置の設置占有面積の省スペース化を図ること、遮光羽根駆動装置の組み立て作業の繁雑さを解消する。【解決手段】遮光羽根駆動装置１は、光路開口２Ａを有する地板２と、光路開口２Ａを開放又は遮蔽する遮光羽根３と、遮光羽根３を一軸方向に沿って直線的に摺動させる駆動手段４とを備え、駆動手段４は、回転自在に軸支され回転中心から半径方向に突出した腕部４２を有するロータ４０と、ロータ４０の周囲に一対の磁極部４３Ａ，４３Ｂを形成するヨーク４３と、ヨーク４３の周りに巻回されるコイル４５と、コイル４５を保持するコイル保持部４４Ａを有するコイルボビン４４と、腕部４２の揺動を遮光羽根３の直線的な変位に変換するレバー部材４６とを備え、コイルボビン４４は、ロータ４０とレバー部材４６を押さえる押さえ部４４Ｂをコイル保持部４４Ａと一体に備える。【選択図】図２
2015125399.tif 000002
【特許請求の範囲】
【請求項１】
光路開口を有する地板と、前記光路開口を開放又は遮蔽する遮光羽根と、前記遮光羽根を一軸方向に沿って直線的に摺動させる駆動手段とを備え、
前記駆動手段は、回転自在に軸支され回転中心から半径方向に突出した腕部を有するロータと、前記ロータの周囲に一対の磁極部を形成するヨークと、前記ヨークの周りに巻回されるコイルと、前記コイルを保持するコイル保持部を有するコイルボビンと、前記腕部の揺動を前記遮光羽根の直線的な変位に変換するレバー部材とを備え、
前記コイルボビンは、前記ロータと前記レバー部材を押さえる押さえ部を前記コイル保持部と一体に備えることを特徴とする遮光羽根駆動装置。
【請求項２】
請求項１に記載された遮光羽根駆動装置を備えたカメラ。
【請求項３】
請求項１に記載された遮光羽根駆動装置を備えた電子機器。
【発明の詳細な説明】
【技術分野】
【０００１】
本発明は、カメラなどの絞りやシャッタやレンズバリアなどに用いられる遮光羽根駆動装置に関するものである。
【背景技術】
【０００２】
カメラのシャッタ羽根や絞り羽根やバリア羽根などの遮光羽根を駆動する遮光羽根駆動装置は、回転中心から半径方向に突出した腕部を有するロータを備えた電磁アクチュエータが用いられており、このロータを所定の角度範囲で往復回転駆動することで、腕部に連結した遮光羽根の角度を変えて光路開口を開放又は遮蔽している。
【０００３】
ここで用いられる電磁アクチュエータは、光路開口を有する地板に対して回転自在に支持されると共に外周面が周方向に二分又は四分されてＮ極とＳ極に交互に着磁された円柱状のロータと、ロータの外周面に対向するように配置される磁極部を有する略Ｕ字状のヨークと、ヨークの周りに巻回された励磁用のコイルなどを備えたものが知られている（下記特許文献１参照）。
【先行技術文献】
【特許文献】
【０００４】
【特許文献１】特開２００７−２９５７７１号公報
【発明の概要】
【発明が解決しようとする課題】
【０００５】
前述した従来の遮光羽根駆動装置は、電磁アクチュエータのロータの回転により遮光羽根の角度を平面内で変えて光路開口の開放又は遮蔽を行っている。このため遮光羽根を揺動させる広いスペースが必要になり、装置の設置占有面積が大きくならざるを得ない。
【０００６】
これに対して、開口を有する遮光羽根を平行移動させて、遮光羽根の開口と光路開口が重なる位置で光路開口を開放し、遮光羽根の開口を光路開口の位置から外して光路開口を遮蔽することで、遮光羽根の移動スペースを狭くすることができる。しかしながら、前述した電磁アクチュエータを用いてこのような遮光羽根の平行移動を実現するには、ロータの回転を直線的な変位に換えるレバー機構や、地板に軸支したレバー機構を保持する保持板などが必要になり、組み立て作業が繁雑になる問題が生じる。
【０００７】
本発明は、このような問題に対処することを課題の一例とするものである。すなわち、遮光羽根駆動装置の設置占有面積の省スペース化を図ること、遮光羽根駆動装置の組み立て作業の繁雑さを解消すること、などが本発明の目的である。
【課題を解決するための手段】
【０００８】
このような目的を達成するために、本発明による遮光羽根駆動装置は、明細書に記載された幾つかの発明のうち以下の構成を具備するものである。
光路開口を有する地板と、前記光路開口を開放又は遮蔽する遮光羽根と、前記遮光羽根を一軸方向に沿って直線的に摺動させる駆動手段とを備え、前記駆動手段は、回転自在に軸支され回転中心から半径方向に突出した腕部を有するロータと、前記ロータの周囲に一対の磁極部を形成するヨークと、前記ヨークの周りに巻回されるコイルと、前記コイルを保持するコイル保持部を有するコイルボビンと、前記腕部の揺動を前記遮光羽根の直線的な変位に変換するレバー部材とを備え、前記コイルボビンは、前記ロータと前記レバー部材を押さえる押さえ部を前記コイル保持部と一体に備えることを特徴とする遮光羽根駆動装置。
【図面の簡単な説明】
【０００９】
【図１】本発明の一実施形態に係る遮光羽根駆動装置を示した分解図である。
【図２】本発明の一実施形態に係る遮光羽根駆動装置における駆動手段保持部内の断面図である。
【図３】本発明の一実施形態に係る遮光羽根駆動装置の平面図であり、（ａ）が外観を示し、（ｂ）が内部構造を示している。
【図４】本発明の一実施形態に係る遮光羽根駆動装置の平面図であり、（ａ）が外観を示し、（ｂ）が内部構造を示している。
【図５】本発明の実施形態に係る遮光羽根駆動装置を備えたカメラ、電子機器を示した説明図である。
【発明を実施するための形態】
【００１０】
以下、本発明の実施形態を図面を参照して説明する。なお、以下の図で、共通する部位には同一符号を付して重複説明を一部省略する。図１は、本発明の一実施形態に係る遮光羽根駆動装置を示した分解図である。遮光羽根駆動装置１は、地板２、遮光羽根３、駆動手段４を備えている。地板２は、遮光羽根駆動装置１のベースとなる部材であり、後方のレンズなどに光を取り込む光路開口２Ａを有している。遮光羽根３は、光路開口２Ａを開放又は遮蔽することでシャッタ羽根や絞り羽根として機能するものである。駆動手段４は遮光羽根３を一軸方向に沿って直線的に摺動させるものであり、ロータ４０、ヨーク４３、コイル４５を基本構成とする電磁アクチュエータを備えている。
【００１１】
更に具体的な構成例を示すと、地板２は、光路開口２Ａの周囲に平面状の羽根支持面２Ｃを備えており、その左右にスライドガイド部２Ｂを備えている。スライドガイド部２Ｂは、遮光羽根３が光軸に対して垂直となる一軸方向に沿って摺動するのをガイドすると共に摺動のスペースを確保するものである。また地板２は、駆動手段４を保持する駆動手段保持部２Ｄを備えており、その駆動手段保持部２Ｄの凹部内に回転中心軸２Ｅ１，２Ｅ２と位置決め軸２Ｆが立設されている。
【００１２】
遮光羽根３は、羽根開口３Ａを有し且つ光軸に対して垂直となる一軸方向に長い平面形状を有しており、光路開口２Ａ内に羽根開口３Ａが位置する状態で光路開口２Ａに光を通し、光路開口２Ａから羽根開口３Ａが外れる状態で光路開口２Ａを通る光を遮蔽する。この遮光羽根３の外周縁３Ｒは、光軸に対して垂直となる一軸方向の長辺３Ｒ１と左右の短辺３Ｒ２，３Ｒ３を有している。短辺３Ｒ２，３Ｒ３の近傍には固定孔３Ｐが形成されている。
【００１３】
駆動手段４のロータ４０は、周方向に異なる磁極を有する円柱状のマグネット４１と、このマグネット４１に固定されマグネット４１の径方向に突出する腕部４２を備えており、腕部４２の先端には連結ピン４２Ａが設けられている。ロータ４０は回転中心軸２Ｅ１に軸支され、この回転中心軸２Ｅ１周りに回転自在になっている。
【００１４】
ロータ４０の回転はレバー部材４６に伝達され、レバー部材４６の揺動によって腕部４２の揺動を遮光羽根３の直線的な変位に変換している。レバー部材４６は、腕部４６Ａ、腕部４６Ａの先端に設けた連結ピン４６Ａ１、回転中心軸２Ｅ２に軸支される軸支部４６Ｂ、連結部４６Ｃ、連結孔４６Ｃ１を備えており、連結部４６Ｃの連結孔４６Ｃ１にロータ４０における腕部４２の連結ピン４２Ａが係合している。腕部４６Ａの回転範囲は略扇型の駆動手段保持部２Ｄによって所定範囲に規制されている。
【００１５】
駆動手段４のヨーク４３は、第１磁極部４３Ａと第２磁極部４３Ｂを有する略Ｕ字状の磁性部材であり、駆動手段保持部２Ｄ内で位置決め軸２Ｆに位置決めされた状態でマグネット４１の周囲を第１磁極部４３Ａと第２磁極部４３Ｂが挟んで保持される。
【００１６】
駆動手段４のコイル４５は、ヨーク４３の第２磁極部４３Ｂの延長部分が貫通するコイルボビン４４のコイル保持部４４Ａに巻回されることで、第２磁極部４３Ｂの周りに巻回されている。コイルボビン４４は、コイル保持部４４Ａを備えると共に押さえ部４４Ｂと位置決め部４４Ｃを備えている。位置決め部４４Ｃには位置決め軸２Ｆが挿入される位置決め孔４４Ｃ１を備えている。
【００１７】
遮光羽根３は、駆動枠５上に固定されている。駆動枠５は、遮光羽根３の長辺３Ｒ１に沿って延設される補強縁５Ａと短辺３Ｒ２，３Ｒ３に沿って延設される補強縁５Ｂ，５Ｃとを備えると共に、連結部５Ｅを備えている。補強縁５Ａ，５Ｂ，５Ｃは、遮光羽根３の外周縁３Ｒを支持して補強することで、遮光羽根３の剛性を確保するものである。補強縁５Ｂ，５Ｃには固定孔５Ｐが設けられ、この固定孔５Ｐと遮光羽根３の固定孔３Ｐを合わせて図示省略した固定具を通して固定する。連結部５Ｅは連結孔５Ｅ１を備え、連結孔５Ｅ１にはレバー部材４６の腕部４６Ａの先端に設けた連結ピン４６Ａ１が係合している。
【００１８】
図２は、駆動手段保持部内の断面図であり、遮光羽根駆動装置の駆動手段を詳細に示している。地板２の駆動手段保持部２Ｄ内では、回転中心軸２Ｅ１にロータ４０が軸支され、回転中心軸２Ｅ２にレバー部材４６が軸支されている。レバー部材４６における腕部４６Ａの先端に配置される連結ピン４６Ａ１は駆動枠５における連結部５Ｅの連結孔５Ｅ１に係合しており、腕部４６Ａの揺動で遮光羽根３を直線的に摺動させる。
【００１９】
コイル４５が巻回されるコイルボビン４４のコイル保持部４４Ａには、ヨーク４３の一方の磁極部４３Ｂが貫通している。このコイルボビン４４は、ロータ４０とレバー部材４６を押さえる押さえ部４４Ｂをコイル保持部４４Ａと一体に備えている。この押さえ部４４Ｂが回転中心軸２Ｅ１，２Ｅ２上を押さえることで、ロータ４０とレバー部材４６が回転中心軸２Ｅ１，２Ｅ２から外れるのを防止している。
【００２０】
図３及び図４は、遮光羽根駆動装置の平面図であり、（ａ）が外観を示し、（ｂ）が内部構造を示している。そして、図３が光路開口を遮蔽した状態、図４が光路開口を開放した状態を示している。図示のように、押さえ部材６が地板２上に配置されている。押さえ部材６は、開口６Ａを備える。図１に示すように、駆動枠５は、補強縁５Ａの外側に遮光羽根３が固定される面より下がった段差面５Ｄを光軸に対して垂直となる一軸方向に沿って備えている。押さえ部材６は、遮光羽根３が固定された駆動枠５の段差面５Ｄを摺動自在に押さえている。ここで、駆動枠５に遮光羽根３を固定し、駆動枠５の遮光羽根３が固定される面より下がったところに段差面５Ｄを設けているので、押さえ部材６の高さを遮光羽根３の高さと同等にすることができる。これにより、遮光羽根３上を直接押さえ部材６で押さえる場合と比較して、遮光羽根３の上に突出する押さえ部材６の突出量を小さくすることができ、遮光羽根３上に大きな厚さ方向スペースを確保することが不要になる。
【００２１】
図３（ｂ）に示すように、駆動手段４のコイル４５が無通電状態の場合は、マグネット４１のＮ極，Ｓ極と第１磁極部４３Ａ，第２磁極部４３Ｂとの吸着力によって腕部４６Ａを図示左側（光路開口へ近づく方向側）に振り、遮光羽根３を図示左側（光路開口へ近づく方向側）に移動させて、遮光羽根３が光路開口２Ａを遮蔽する状態になる。これに対して、図４（ｂ）に示すように、駆動手段４のコイル４５に通電すると、ヨーク４３の第１磁極部４３Ａと第２磁極部４３Ｂの一方がＳ極に着磁され他方がＮ極に着磁される。これによって、マグネット４１のＮ極，Ｓ極と第１磁極部４３Ａ，第２磁極部４３Ｂとの間に反発力が作用して腕部４２を図示右側（光路開口から遠ざかる方向側）に振り、遮光羽根３を図示右側（光路開口から遠ざかる方向側）に移動させて、遮光羽根３の羽根開口３Ａが光路開口２Ａ内に位置する状態になる。
【００２２】
このような遮光羽根駆動装置１は、コイルボビン４４の押さえ部４４Ｂがロータ４０とレバー部材４６を押さえ付けるので、駆動手段保持部２Ｄ内への駆動手段４の組み付けを簡易に行うことができ、組み立て作業の繁雑さを解消することができる。また、レバー部材４６はヨーク４３の長手方向延長位置に配置されており、駆動手段４の全ての部材が遮光羽根３の幅内に配置されている。また、ヨーク４３の長手方向に沿って遮光羽根３が摺動する。これによって、幅方向にコンパクトな遮光羽根駆動装置１を得ることができ、設置占有面積の省スペース化が可能になる。
【００２３】
また、このような遮光羽根駆動装置１によると、段差面５Ｄを押さえ部材６が押さえることで、遮光羽根３の前方側のスペースを大きく確保する必要が無いので、遮光羽根駆動装置１自体を薄型化することができる。そして、図５に示すような、遮光羽根駆動装置１を備えたカメラ１００や電子機器２００（携帯電話，携帯情報端末，スマートフォン、タブレット端末、携帯ＰＣなど）は、レンズ周辺の薄型化が可能になることでカメラ１００の設置占有スペースを省スペース化することができ、内部スペースを有効に使うことができる。
【００２４】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。また、上述の各実施の形態は、その目的及び構成等に特に矛盾や問題がない限り、互いの技術を流用して組み合わせることが可能である。
【符号の説明】
【００２５】
１：遮光羽根駆動装置，２：地板，２Ａ：光路開口，２Ｂ：スライドガイド部，
２Ｃ：羽根支持面，２Ｄ：駆動手段保持部，
２Ｅ１，２Ｅ２：回転中心軸，２Ｆ：位置決め軸，
３：遮光羽根，３Ａ：羽根開口，３Ｒ：外周縁，３Ｒ１：長辺，
３Ｒ２，３Ｒ３：短辺，
３Ｍ：段差面，３Ｐ：固定孔，
４：駆動手段，４０：ロータ，４１：マグネット，
４２：腕部，４２Ａ：連結ピン，
４３：ヨーク，４３Ａ：第１磁極部，４３Ｂ：第２磁極部，
４４：コイルボビン，４４Ａ：コイル保持部，４４Ｂ：押さえ部，
４４Ｃ：位置決め部，４４Ｃ１：位置決め孔，
４５：コイル，
４６：レバー部材，４６Ａ：腕部，４６Ａ１：連結ピン，
４６Ｂ：軸支部，４６Ｃ：連結部，４６Ｃ１：連結孔，
５：駆動枠，５Ａ，５Ｂ，５Ｃ：補強縁，５Ｄ：段差面，５Ｅ：連結部，
５Ｅ１：連結孔，５Ｐ：固定孔，
６：押さえ部材，６Ａ：開口，
１００：カメラ，２００：電子機器
【図１】
2015125399.tif 000003
【図２】
2015125399.tif 000004
【図３】
2015125399.tif 000005
【図４】
2015125399.tif 000006
【図５】
2015125399.tif 000007